(57)【特許請求の範囲】
【請求項１】
発光素子または受光素子を具備してなるレーザモジュール（４）が実装されている回路基板（５）に実装される光コネクタレセプタクルであって、
前記レーザモジュールに実装されたファイバアレイ（６）から引き出された光ファイバ（７）先端に組み立てられたデバイス側光コネクタフェルール（８）を収容、保持するとともに、前記デバイス側光コネクタフェルールに対して接続される外線側光コネクタフェルール（３）の挿入用のフェルール挿入口（９）が一側部に開口されているハウジング（１０）と、
このハウジングに対して回転自在に支持されて、前記フェルール挿入口と該フェルール挿入口を開放する待避位置（２３）とに移動自在に設けられ、回転によって前記フェルール挿入口に配置されることで、前記ハウジング内の前記外線側光コネクタフェルールを、先行して前記フェルール挿入口に対向するハウジング奥側に収容、保持されている前記デバイス側光コネクタフェルールに対して付勢する板バネ状のクリップ（１１）とを有し、  前記クリップには、前記ハウジングと係脱可能に係合して該クリップを前記フェルール挿入口に保持する係合部（２４）が形成され、
前記ハウジングは、ハウジング奥側の前記デバイス側光コネクタフェルールと該光コネクタフェルールに対してフェルール挿入口側から接続される前記外線側光コネクタフェルールとを収容するフェルール収容溝（１６）に前記デバイス側光コネクタフェルールを挿入、収容するための組込用挿入口（１６ｄ）が上面（１７ａ）に開口して形成されている下ボディ（１２）と、この下ボディ上に装着されることで前記下ボディ上面における前記フェルール収容溝の開口部を塞ぐとともに前記下ボディの前記回路基板に当接される底板（１４）上に突設された一対の側壁（１５）を覆うカバー状に形成された上ボディ（１３）とを有し、前記回路基板上に固定して前記フェルール収容溝に前記光コネクタフェルールを収容した下ボディ上に上ボディを装着でき、
前記クリップは、前記フェルール収容溝の長手方向に対して直交する方向の枢軸（２１）によって前記上ボディに回転自在に軸支された支持アーム（２２）に固定されており、
前記クリップには、前記ハウジングを構成する前記下ボディおよび前記上ボディの前記フェルール挿入口の両側に位置する部分に形成されている係合凹部（２５ａ、２５ｂ）に入り込んで係脱可能に係合して、前記係合部として機能する一対の押圧片（２４）が該クリップの一部を湾曲または屈曲成形して形成され、前記クリップは、前記一対の押圧片の一部が、前記フェルール挿入口の両側の前記係合凹部が形成されているハウジング側壁部からフェルール挿入口に張り出した部分によって、前記外線側光コネクタフェルールを、前記デバイス側光コネクタフェルールに対して付勢するようになっており、
前記光ファイバは、前記ファイバアレイとデバイス側光コネクタフェルールとの間に延在していることを特徴とする光コネクタレセプタクル（１）。
【請求項２】
発光素子または受光素子を具備してなる光デバイス（４、６）が実装されている回路基板（５）に実装される光コネクタレセプタクルであって、
前記光デバイスから引き出された光ファイバ（７）先端に組み立てられたデバイス側光コネクタフェルール（８）を収容、保持するとともに、前記デバイス側光コネクタフェルールに対して接続される外線側光コネクタフェルール（３）の挿入用のフェルール挿入口（９）が一側部に開口されているハウジング（１０）と、
このハウジングに対して回転自在に支持されて、前記フェルール挿入口と該フェルール挿入口を開放する待避位置（２３）とに移動自在に設けられ、回転によって前記フェルール挿入口に配置されることで、前記ハウジング内の前記外線側光コネクタフェルールを、先行して前記フェルール挿入口に対向するハウジング奥側に収容、保持されている前記デバイス側光コネクタフェルールに対して付勢する板バネ状のクリップ（１１）とを有し、
前記ハウジングは、ハウジング奥側の前記デバイス側光コネクタフェルールと該光コネクタフェルールに対してフェルール挿入口側から接続される前記外線側光コネクタフェルールとを収容するフェルール収容溝（１６）に前記デバイス側光コネクタフェルールを挿入、収容するための組込用挿入口（１６ｄ）が上面（１７ａ）に開口して形成されている下ボディ（１２）と、この下ボディ上に装着されることで前記下ボディ上面における前記フェルール収容溝の開口部を塞ぐとともに前記下ボディの前記回路基板に当接される底板（１４）上に突設された一対の側壁（１５）を覆うカバー状に形成された上ボディ（１３）とを有し、前記回路基板上に固定して前記フェルール収容溝に前記光コネクタフェルールを収容した下ボディ上に上ボディを装着でき、
前記クリップは、前記フェルール収容溝の長手方向に対して直交する方向の枢軸（２１）によって前記上ボディに回転自在に軸支された支持アーム（２２）に固定されており、
前記クリップには、前記ハウジングを構成する前記下ボディおよび前記上ボディの前記フェルール挿入口の両側に位置する部分に形成されている係合凹部（２５ａ、２５ｂ）に入り込んで係脱可能に係合して、該クリップを前記フェルール挿入口に保持する係合部（２４）として機能する一対の押圧片（２４）が該クリップの一部を湾曲または屈曲成形して形成され、前記クリップは、前記一対の押圧片の一部が、前記フェルール挿入口の両側の前記係合凹部が形成されているハウジング側壁部からフェルール挿入口に張り出した部分によって、前記外線側光コネクタフェルールを、前記デバイス側光コネクタフェルールに対して付勢するようになっており、
前記光ファイバは、前記光デバイスとデバイス側光コネクタフェルールとの間に延在していることを特徴とする光コネクタレセプタクル（１）。
【請求項３】
前記クリップは、それぞれ前記枢軸によって軸支されて前記上ボディの両側に設けられている前記支持アームを板状部（２７）で連結してなる門形に形成され、さらに、前記板状部から回転半径方向外側に延出された操作片（２８）を有しており、板状部から操作片にわたって延びる補強リブ（２９）が形成されていることを特徴とする請求項１又は２に記載の光コネクタレセプタクル。
【請求項４】
前記一対の押圧片の間に、前記光ファイバが挿通可能な隙間（２６）が確保されていることを特徴とする請求項１〜３のいずれかに記載の光コネクタレセプタクル。
【請求項５】
前記ハウジングは、前記下ボディの前記回路基板に当接される底板（１４）を前記下ボディの両側部に延長するようにして張り出されたプレート状の固定部（１８）を有し、
該固定部には、前記下ボディを前記回路基板に固定するためのネジ（１９）が挿入される長穴（１８ａ）が形成され、前記長穴の範囲で、回路基板に対する前記下ボディの固定位置を前記回路基板に沿った方向で調整できることを特徴とする請求項１〜４のうちいずれか１項に記載の光コネクタレセプタクル。
【発明の詳細な説明】
【０００１】
【発明の属する技術分野】
本発明は、光コネクタレセプタクルに係り、特に、光デバイスに対する光コネクタのコネクタ接続を実現する光コネクタレセプタクルに関する。
【０００２】
【従来の技術】
半導体レーザ（ＬＤ）等の発光素子あるいはフォトダイオード等の受光素子などの光素子を主体とするモジュール（レーザモジュール）や、ファイバアレイ、基板形光導波路といった光デバイスと、光線路を構成する光ファイバ先端の光コネクタとのコネクタ接続を実現する機構（以下「コネクタ接続機構）は殆ど無いと言える。特に、コネクタ接続機構をレーザモジュール等の光デバイスと一体的に回路基板上に実装することを考えた場合、コネクタ接続機構のサイズが問題であり、サイズ、接続作業性、量産性等の条件を満たす適切な機構はこれまで皆無と言える。例えば、ＪＩＳ  Ｃ  ５９８２に制定されるＭＰＯ形光コネクタ（ＭＰＯ：Multifiber  Push-On）では、光ファイバ側の光コネクタ（光コネクタプラグ）との光デバイスとのコネクタ接続を実現するには、レーザモジュール等の光デバイスに光コネクタプラグと光コネクタアダプタとを一体的に組み立てて基板に実装することになるが、これではサイズが大きすぎるため、基板上の他の部品と干渉したり、基板よりも光コネクタアダプタが大きくなるなど、現実的には実装不可能と言える。
【０００３】
【発明が解決しようとする課題】
本発明は、前記課題に鑑みて、光デバイスから引き出された光ファイバ先端に組み立てられた光コネクタフェルールと、別の光コネクタフェルールとを接続することで、光デバイスに対する光コネクタのコネクタ接続を実現でき、しかも、小型化が容易であるため、例えば回路基板等への実装も実現できる光コネクタレセプタクルの提供を目的としている。
【０００４】
【課題を解決するための手段】
上記課題を解決するために、本発明の請求項１記載の光コネクタレセプタクルは、発光素子または受光素子を具備してなるレーザモジュールが実装されている回路基板に実装される光コネクタレセプタクルであって、前記レーザモジュールに実装されたファイバアレイから引き出された光ファイバ先端に組み立てられたデバイス側光コネクタフェルールを収容、保持するとともに、前記デバイス側光コネクタフェルールに対して接続される外線側光コネクタフェルールの挿入用のフェルール挿入口が一側部に開口されているハウジングと、このハウジングに対して回転自在に支持されて、前記フェルール挿入口と該フェルール挿入口を開放する待避位置とに移動自在に設けられ、回転によって前記フェルール挿入口に配置されることで、前記ハウジング内の前記外線側光コネクタフェルールを、先行して前記フェルール挿入口に対向するハウジング奥側に収容、保持されている前記デバイス側光コネクタフェルールに対して付勢する板バネ状のクリップとを有し、前記クリップには、前記ハウジングと係脱可能に係合して該クリップを前記フェルール挿入口に保持する係合部が形成され、前記ハウジングは、ハウジング奥側の前記デバイス側光コネクタフェルールと該光コネクタフェルールに対してフェルール挿入口側から接続される前記外線側光コネクタフェルールとを収容するフェルール収容溝に前記デバイス側光コネクタフェルールを挿入、収容するための組込用挿入口が上面に開口して形成されている下ボディと、この下ボディ上に装着されることで前記下ボディ上面における前記フェルール収容溝の開口部を塞ぐとともに前記下ボディの前記回路基板に当接される底板上に突設された一対の側壁を覆うカバー状に形成された上ボディとを有し、前記回路基板上に固定して前記フェルール収容溝に前記光コネクタフェルールを収容した下ボディ上に上ボディを装着でき、前記クリップは、前記フェルール収容溝の長手方向に対して直交する方向の枢軸によって前記上ボディに回転自在に軸支された支持アームに固定されており、前記クリップには、前記ハウジングを構成する前記下ボディおよび前記上ボディの前記フェルール挿入口の両側に位置する部分に形成されている係合凹部に入り込んで係脱可能に係合して、前記係合部として機能する一対の押圧片が該クリップの一部を湾曲または屈曲成形して形成され、前記クリップは、前記一対の押圧片の一部が、前記フェルール挿入口の両側の前記係合凹部が形成されているハウジング側壁部からフェルール挿入口に張り出した部分によって、前記外線側光コネクタフェルールを、前記デバイス側光コネクタフェルールに対して付勢するようになっており、前記光ファイバは、前記ファイバアレイとデバイス側光コネクタフェルールとの間に延在していることを特徴とする。
請求項２記載の光コネクタレセプタクルは、発光素子または受光素子を具備してなる光デバイスが実装されている回路基板に実装される光コネクタレセプタクルであって、前記光デバイスから引き出された光ファイバ先端に組み立てられたデバイス側光コネクタフェルールを収容、保持するとともに、前記デバイス側光コネクタフェルールに対して接続される外線側光コネクタフェルールの挿入用のフェルール挿入口が一側部に開口されているハウジングと、このハウジングに対して回転自在に支持されて、前記フェルール挿入口と該フェルール挿入口を開放する待避位置とに移動自在に設けられ、回転によって前記フェルール挿入口に配置されることで、前記ハウジング内の前記外線側光コネクタフェルールを、先行して前記フェルール挿入口に対向するハウジング奥側に収容、保持されている前記デバイス側光コネクタフェルールに対して付勢する板バネ状のクリップとを有し、前記ハウジングは、ハウジング奥側の前記デバイス側光コネクタフェルールと該光コネクタフェルールに対してフェルール挿入口側から接続される前記外線側光コネクタフェルールとを収容するフェルール収容溝に前記デバイス側光コネクタフェルールを挿入、収容するための組込用挿入口が上面に開口して形成されている下ボディと、この下ボディ上に装着されることで前記下ボディ上面における前記フェルール収容溝の開口部を塞ぐとともに前記下ボディの前記回路基板に当接される底板上に突設された一対の側壁を覆うカバー状に形成された上ボディとを有し、前記回路基板上に固定して前記フェルール収容溝に前記光コネクタフェルールを収容した下ボディ上に上ボディを装着でき、前記クリップは、前記フェルール収容溝の長手方向に対して直交する方向の枢軸によって前記上ボディに回転自在に軸支された支持アームに固定されており、前記クリップには、前記ハウジングを構成する前記下ボディおよび前記上ボディの前記フェルール挿入口の両側に位置する部分に形成されている係合凹部に入り込んで係脱可能に係合して、該クリップを前記フェルール挿入口に保持する係合部として機能する一対の押圧片が該クリップの一部を湾曲または屈曲成形して形成され、前記クリップは、前記一対の押圧片の一部が、前記フェルール挿入口の両側の前記係合凹部が形成されているハウジング側壁部からフェルール挿入口に張り出した部分によって、前記外線側光コネクタフェルールを、前記デバイス側光コネクタフェルールに対して付勢するようになっており、前記光ファイバは、前記光デバイスとデバイス側光コネクタフェルールとの間に延在していることを特徴とする。
請求項３記載の発明は、請求項１又は２記載の光コネクタレセプタクルにおいて、前記クリップが、それぞれ前記枢軸によって軸支されて前記上ボディの両側に設けられている前記支持アームを板状部で連結してなる門形に形成され、さらに、前記板状部から回転半径方向外側に延出された操作片を有しており、板状部から操作片にわたって延びる補強リブが形成されていることを特徴とする。
請求項４記載の発明は、請求項１〜３のいずれかに記載の光コネクタレセプタクルにおいて、前記一対の押圧片の間に、前記光ファイバが挿通可能な隙間が確保されていることを特徴とする。
請求項５記載の発明は、請求項１〜４のうちいずれか１項に記載の光コネクタレセプタクルにおいて、前記ハウジングが、前記下ボディの前記回路基板に当接される底板を前記下ボディの両側部に延長するようにして張り出されたプレート状の固定部を有し、該固定部には、前記下ボディを前記回路基板に固定するためのネジが挿入される長穴が形成され、前記長穴の範囲で、回路基板に対する前記下ボディの固定位置を前記回路基板に沿った方向で調整できることを特徴とする。
【０００５】
この発明の光コネクタレセプタクルは、例えばＭＰＯ形光コネクタ等のように、光コネクタフェルールを光コネクタプラグに組み込んで光コネクタアダプタ内で接続する構成とは異なり、光コネクタフェルール同士を直接ハウジング内で接続できる構成であり、小型化することができる。これにより、例えば半導体レーザ（ＬＤ）等の発光素子あるいはフォトダイオード等の受光素子などの光素子を主体とするモジュール（レーザモジュール）が実装されている回路基板への実装も可能になる。
また、クリップの回転によって、フェルール挿入口から挿入された光コネクタフェルールの光デバイス側光コネクタフェルールに対する付勢、付勢の解除を簡単に切り替えることができ、クリップをフェルール挿入口から待避させフェルール挿入口を開放するだけで、ハウジングに対するフェルール挿入口からの光コネクタフェルールの挿入、引き出しを自由に行えるなど、接続作業性、接続の切替作業性を向上できるといった利点もある。
【０００６】
【発明の実施の形態】
以下、本発明の実施の形態を、図面を参照して説明する。
図１（ａ）、（ｂ）から図６（ａ）〜（ｃ）は、本発明に係る光コネクタレセプタクル１の構成を示す図であって、組み立てから外線側の光ファイバ２先端に組み立てられた光コネクタフェルール３（以下「外線側光コネクタフェルール」と称する場合がある）の挿入、接続までの手順に沿って順番に配列されている。
【０００７】
図１（ａ）、（ｂ）から図６（ａ）〜（ｃ）において、符号４は、半導体レーザ（ＬＤ）等の発光素子あるいはフォトダイオード等の受光素子などの光素子を主体とするモジュール（以下「レーザモジュール」）であり、回路基板５上に実装されている。このレーザモジュール４にはファイバアレイ６が実装されており、このファイバアレイ６から引き出された光ファイバ７先端には光コネクタフェルール８（以下「デバイス側光コネクタフェルール」と称する場合がある）が組み立てられている。光ファイバ７は、ファイバアレイ６を介してレーザモジュール４と光接続されている。
なお、レーザモジュール４及びファイバアレイ６は、本発明に係る光デバイスに相当する。
【０００８】
図１（ａ）、（ｂ）から図６（ａ）〜（ｃ）において、光コネクタフェルール３、８は、具体的には多心のＭＴ形光コネクタフェルール（ＪＩＳ  Ｃ  ５９８１に制定される光コネクタ。ＭＴ：Mechanically Transferable）であり、この光コネクタフェルール８とファイバアレイ６との間を接続する光ファイバ７及び外線側の光ファイバ２は多心光ファイバテープ心線である。但し、本発明においては、光コネクタフェルール３、８や光ファイバ２、７は多心のものに限定されず単心のものも採用可能であり、また、光コネクタフェルール３、８や光ファイバ２、７の種類も各種採用可能である。
【０００９】
本発明に係る光コネクタレセプタクル１は、デバイス側光コネクタフェルール８を収容、保持するとともに、前記デバイス側光コネクタフェルール８に対して接続される外線側光コネクタフェルール３の挿入用のフェルール挿入口９が一側部に開口されているハウジング１０と、このハウジング１０に対して回転自在に支持されたクリップ１１とを有している。
【００１０】
前記ハウジング１０は、回路基板５に固定される下ボディ１２（マウントベース）と、この下ボディ１２上に装着される上ボディ１３とを有している。下ボディ１２は、プラスチック等の樹脂成形品であり、底板１４上に突設された一対の側壁１５の間に、デバイス側光コネクタフェルール８と該デバイス側光コネクタフェルール８に対してフェルール挿入口９側から接続される外線側光コネクタフェルール３とを収容するフェルール収容溝１６が形成されたハウジング本体部１７と、このハウジング本体部１７の対向する両側部に前記底板１４を延長させるようにして張り出されたプレート状の固定部１８とを有している。そして、この下ボディ１２は、前記底板１４の底面１４ａを回路基板５に当接させるようにして回路基板５上に配置し、各固定部１８を回路基板５にネジ止めすることで、回路基板５上に実装される。前記フェルール挿入口９は、前記フェルール収容溝１６の長手方向一端部を開口した部分である。
【００１１】
固定部１８を、回路基板５に固定するネジ１９は、固定部１８の長穴１８ａ（図２（ａ）、（ｂ）参照）に挿入されるようになっており、この長穴１８ａの範囲で、回路基板５に対する下ボディ１２の固定位置を回路基板５に沿った方向で調整できる。前記長穴１８ａは、固定位置調整手段として機能する。なお、固定位置調整手段としては、前述の長穴１８ａに限定されず、例えばネジ１９に比べて穴径が若干大きい丸穴等、各種構成が採用可能である。
【００１２】
前記上ボディ１３は、下ボディ１２のハウジング本体部１７を上から覆うカバー状に形成されており、ハウジング本体部１７に上から被せるようにして装着することで、ハウジング本体部１７の対向する両側における前記フェルール収容溝１６の開口部（一方の開口部はフェルール挿入口９。他方の開口部は光ファイバ挿通口２０）を除くハウジング本体部１７の側部と、ハウジング本体部１７の上面１７ａ（下ボディ１２の上面として機能する）とを覆うカバー状になっている。図７（ａ）、（ｂ）に示すように、上ボディ１３には、ハウジング本体部１７の対向する両側における前記フェルール収容溝１６の開口部９、２０に対応する位置に切り欠き部１３ａ、１３ｂが形成されており、ハウジング本体部１７の対向する両側における前記フェルール収容溝１６の開口部２０には、上ボディ１３をハウジング本体部１７に装着した後でも、切り欠き部１３ａによって、少なくとも光コネクタフェルール８から引き出されている光ファイバ７が挿通可能な程度の隙間が確保される。図７（ａ）は、光ファイバ挿通口２０に対応する切り欠き部１３ａを例示しているが、図７（ｂ）に例示する切り欠き部１３ｂは、上ボディ１３の前記フェルール挿入口９に対応する側の側壁部に形成されているものであり、外線側光コネクタフェルール３が通過可能な大きさに形成されている。
【００１３】
光コネクタレセプタクル１を組み立てるには、まず、図１（ａ）、（ｂ）〜図２（ａ）、（ｂ）に示すように、回路基板５上の適切位置に下ボディ１２を固定するとともに、ハウジング本体部上面１７ａ側からフェルール収容溝１６にデバイス側光コネクタフェルール８を収容する。回路基板５上に下ボディ１２を固定した段階ではハウジング本体部１７に対して上ボディ１３は未装着であり、ハウジング本体部上面１７ａ上にフェルール収容溝１６全体が開口されている。デバイス側光コネクタフェルール８は、光ファイバ挿通口２０側の端部近傍に位置するフェルール収容溝１６であるデバイス側フェルール収容部１６ａに収容されるようになっており、該デバイス側フェルール収容部１６ａのハウジング本体部上面１７ａに開口した部分である組込用挿入口１６ｄからデバイス側フェルール収容部１６ａに挿入して収容される。デバイス側光コネクタフェルール８から引き出されている光ファイバ７は、光ファイバ挿通口２０に収納して、ハウジング本体部１７の内外に挿通される。
【００１４】
次いで、図３、図４に示すように、ハウジング本体部１７に上ボディ１３を被せるようにして装着する。これにより、ハウジング本体部上面１７ａにおける前記フェルール収容溝１６の開口部が上ボディ１３によって塞がれる。上ボディ１３は、該上ボディ１３に形成された係合部１３ｃ（ここでは係合穴）を、下ボディ１２に形成された係合部１２ａ（ここでは係合爪）に係合させることで、下ボディ１２に対して一体化される。
【００１５】
前記クリップ１１は板バネを成形したものであり、フェルール収容溝１６の長手方向（中心軸線方向）に対して直交する方向の枢軸２１によって上ボディ１３に回転自在に軸支された支持アーム２２に固定されており、支持アーム２２と一体的な回転によって、前記フェルール挿入口９と該フェルール挿入口９を開放する待避位置２３とに移動自在に設けられている。このクリップ１１は、ハウジング本体部１７に上ボディ１３を装着することで、上ボディ１３と一体的に光コネクタレセプタクル１のハウジング１０に設けられる。
【００１６】
図４、図５に示すように、組み立てられたハウジング１０のフェルール挿入口９から外線側光コネクタフェルール３をフェルール収容溝１６に挿入した後、図６（ａ）〜（ｃ）に示すように、クリップ１１を回転して待避位置２３側からフェルール挿入口９に移動（詳細にはフェルール挿入口９に後述の押圧片２４が配置されるように回転移動）すると、クリップ１１の一部を湾曲又は屈曲成形した一対の押圧片２４が、前記フェルール挿入口９の両側（図８参照）にて前記ハウジング１０（ここでは下ボディ１２と上ボディ１３の両方）に形成されている係合凹部２５ａ、２５ｂに入り込んで係脱可能に係合して、外力によって強制的に回転されない限り待避位置２３側へ移動しないようにロックされる。また、押圧片２４の一部が、前記係合凹部２５ａ、２５ｂが形成されているハウジング１０側壁部からフェルール挿入口９に張り出すようになっており、このフェルール挿入口９に張り出した部分によって、外線側光コネクタフェルール３をデバイス側光コネクタフェルール８、つまり、フェルール挿入口９から見て奥側に収容保持されている光コネクタフェルール８に向けて付勢する。ここで、押圧片２４は、該押圧片２４がフェルール挿入口９に配置される位置に、ハウジング１０に対してクリップ１１を係合保持する係合部として機能する。
【００１７】
このとき、図２（ａ）等に示すように、デバイス側光コネクタフェルール８は、デバイス側フェルール収容部１６ａの前記フェルール挿入口９から見て最も奥側に位置する端部に形成されている受圧壁１６ｂによって、フェルール挿入口９に対する奥側への移動が規制されるから、これにより、図６（ｃ）に示すように、クリップ１１の押圧片２４による外線側光コネクタフェルール３の付勢力が、光コネクタフェルール３、８間の突き合わせ力として作用した状態で光コネクタフェルール３、８同士が突き合わせ接続され、接続状態の安定、低接続損失を実現できる。光コネクタフェルール３、８同士の接続によって、レーザモジュール４やファイバアレイ６といった光デバイスが、外線側の光ファイバ２等の光線路と接続される。
【００１８】
光コネクタフェルール３、８であるＭＴ形光コネクタフェルール同士の突き合わせ接続は、周知のように、ガイドピン３０を利用したピン結合方式の位置決め方式を採用しており、本実施の形態では、デバイス側光コネクタフェルール８に挿入して接合端面８ａに突出させたガイドピン３０（図１（ａ）、（ｂ）、図２（ａ）、（ｂ）参照）が、外線側光コネクタフェルール３のガイドピン穴（図示略）に挿入嵌合されることで、両光コネクタフェルール３、８間が精密に位置決めされて、突き合わせ接続されるようになっている。デバイス側光コネクタフェルール８の後端（接合端面８ａに対向する側）には、前記該ガイドピン３０を固定するピンクランプ３１が取り付けられている。このデバイス側光コネクタフェルール８は、具体的には、前記ピンクランプ３１が受圧壁１６ｂに当接することで、それ以上の押し込みが規制されるようになっている。
【００１９】
なお、図６（ａ）及び図８等に示すように、一対の押圧片２４間には、外線側光コネクタフェルール３から引き出されている光ファイバ２が挿通可能な隙間２６が確保されており、フェルール挿入口９に押圧片２４が配置されるようにクリップ１１を位置させたときには、外線側光コネクタフェルール３から引き出されている光ファイバ２が前記隙間２６を介してハウジング１０の外側へ引き出される。
【００２０】
クリップ１１は、前記支持アーム２２に取り付けられた板状部２７から、回転半径方向外側に延出された操作片２８を有しており、この操作片２８を手動等によって操作することで簡単に回転移動することができる。また、クリップ１１には、板状部２７から操作片２８にわたって延びる補強リブ２９が形成されているため、充分な強度が確保されており、操作片２８の操作による回転移動を円滑に行えるとともに、操作片２８の変形や破損等が防止されて長寿命化を図れるといった利点もある。
【００２１】
図６（ａ）〜（ｃ）に示す状態から、ハウジング１０の係合凹部２５ａ、２５ｂに対する押圧片２４の係合を解除し、クリップ１１を待避位置２３側に回転させてフェルール挿入口９を開放すれば、フェルール挿入口９から外線側光コネクタフェルール３を抜き出すことがことができ、これにより、光コネクタフェルール３、８同士の接続を解除できる。このとき、デバイス側光コネクタフェルール８は、デバイス側フェルール収容部１６ｂ（図２（ａ）参照）のフェルール挿入口９側の端部に設けられたストッパ壁１６ｃに当接したところで、フェルール挿入口９側へのそれ以上の移動が規制されるため、ここで外線側光コネクタフェルール３と確実に分離されることになり、外線側光コネクタフェルール３の引き抜きに追従してフェルール収容溝１６から引き出されてしまうといった不都合を生じない。
【００２２】
ハウジング１０に挿入する外線側光コネクタフェルール３を入れ替えて、デバイス側光コネクタフェルール８に接続することで、レーザモジュール４やファイバアレイ６といった光デバイスに対する、外線側の光ファイバ２等の光線路の切替接続を簡単に実現できる。
【００２３】
従い、この光コネクタレセプタクル１によれば、ハウジング１０内に収容した光コネクタフェルール３、８同士を直接接続する構成であるため小型化が容易であり、しかも、回路基板５に実装できる程度に小型化しても、デバイス側光コネクタフェルール８の収容、ハウジング１０の組み立て、光コネクタフェルール３、８同士の接続、接続解除を簡単に行うことができる。
【００２４】
なお、本発明の光コネクタレセプタクルとしては、前記実施の形態に限定されず、例えば、ハウジングの具体的形状等は、適宜変更可能であることは言うまでも無い。
また、前記実施の形態では、レーザモジュール４と光ファイバ７との間に光デバイスとしてのファイバアレイ６が介在配置された構成を例示したが、これに限定されず、例えば、ファイバアレイを介さずにレーザモジュール４から直接光ファイバ７が引き出されている構成等も採用可能である。
【００２５】
【発明の効果】
以上述べたように、本発明の光コネクタレセプタクルによれば、例えばＭＰＯ形光コネクタ等のように、光コネクタフェルールを光コネクタプラグに組み込んで光コネクタアダプタ内で接続する構成とは異なり、光コネクタフェルール同士を直接ハウジング内で接続できる構成であるため、容易に小型化することができ、これにより、例えば発光素子あるいは受光素子などの光素子を主体とするモジュール（レーザモジュール）が実装されている回路基板への実装も可能になる。また、小型でありながら、クリップの回転によって、フェルール挿入口から挿入された光コネクタフェルールの光デバイス側光コネクタフェルールに対する付勢、付勢の解除を簡単に切り替えることができ、クリップをフェルール挿入口から待避させフェルール挿入口を開放するだけで、ハウジングに対するフェルール挿入口からの光コネクタフェルールの挿入、引き出しを自由に行えるなど、接続作業性、接続の切替作業性を向上できるといった優れた効果を奏する。
【図面の簡単な説明】
【図１】  本発明の光コネクタレセプタクルを構成する光デバイス、光ファイバ、光コネクタフェルール、ハウジングの下ボディを示す図であって、（ａ）は平面図、（ｂ）は側面図である。
【図２】  図１の光コネクタフェルールを下ボディのフェルール収容溝に収容した状態を示す図であって、（ａ）は平面図、（ｂ）は側面図である。
【図３】  デバイス側光コネクタフェルールを収容した下ボディのハウジング本体部と、上ボディとを示す分解図である。
【図４】  デバイス側光コネクタフェルールを収容した下ボディのハウジング本体部に、上ボディを装着してハウジングを組み立てた状態を示す側面図である。
【図５】  図４のハウジングのフェルール挿入口から挿入された外線側光コネクタフェルールをハウジング内に収容した状態を示す側面図である。
【図６】  図５の外線側光コネクタフェルールを収容したハウジングのクリップを回転させて、クリップの押圧片によって外線側光コネクタフェルールにデバイス側光コネクタフェルールに対する付勢力を与えた状態を示す図であって、（ａ）は平面図、（ｂ）は側面図、（ｃ）は側断面図である。
【図７】  上ボディの側壁部に形成された切り欠き部を示す側面図であって、（ａ）は下ボディの光ファイバ挿通口に対応する側、（ｂ）はフェルール挿入口に対応する側を示す。
【図８】  図６（ａ）〜（ｃ）の状態の光コネクタレセプタクルのハウジングをフェルール挿入口側から見た側面図である。
【符号の説明】
１…光コネクタレセプタクル、３…光コネクタフェルール（外線側光コネクタフェルール）、４…光デバイス（レーザモジュール）、５…目的の部材（回路基板）、６…光デバイス、７…光ファイバ、８…光コネクタフェルール（デバイス側光コネクタフェルール）、９…フェルール挿入口、１０…ハウジング、１１…クリップ、１２…下ボディ、１３…上ボディ、１６…フェルール収容溝、１６ｄ…組込用挿入口、１７…ハウジング本体部、１７ａ…下ボディの上面、１８…固定部、１８ａ…固定位置調整手段（長穴）、２３…待避位置、２４…係合部（押圧片）。
【図１】
0003907991.tif 000002
【図２】
0003907991.tif 000003
【図３】
0003907991.tif 000004
【図４】
0003907991.tif 000005
【図５】
0003907991.tif 000006
【図６】
0003907991.tif 000007
【図７】
0003907991.tif 000008
【図８】
0003907991.tif 000009